(57)【要約】基地局における中継ノードは、第１の優先度および第１の優先度ＩＤを有する第１の無線チャネルを構成し、第２の優先度および第２の優先度ＩＤを有する第２の無線チャネルを構成し得る。基地局は、第１のベアラＩＤおよび第１の優先度への第１のマッピングを有する第３の無線チャネルを構成し、第２のベアラＩＤおよび第２の優先度への第２のマッピングを有する第４の無線チャネルを構成し得る。中継ノードは、第１のマッピングに基づいて第３の無線チャネルから第１の無線チャネルにパケットを転送し、第１の優先度ＩＤをパケット内のヘッダに挿入し得る。中継ノードは、第２のマッピングに基づいて第４の無線チャネルから第２の無線チャネルにパケットを転送し、第２の優先度ＩＤをパケット内のヘッダに挿入し得る。【選択図】図１Ａ
2021518697.tif 000002
【特許請求の範囲】
【請求項１】
中継ノードのためのワイヤレス通信の方法であって、
第１の優先度および第１の優先度ＩＤを有する第１の無線チャネルのための構成を受信し、第２の優先度および第２の優先度ＩＤを有する第２の無線チャネルのための構成を受信することと、
前記第１の優先度への第１のマッピングを有する第３の無線チャネルのための構成を受信し、前記第２の優先度への第２のマッピングを有する第４の無線チャネルのための構成を受信することと、
前記第１のマッピングに基づいて前記第３の無線チャネルから前記第１の無線チャネルにパケットを転送し、前記第３の無線チャネルからの前記パケット内のヘッダに前記第１の優先度ＩＤを挿入することと、
前記第２のマッピングに基づいて前記第４の無線チャネルから前記第２の無線チャネルにパケットを転送し、前記第４の無線チャネルからの前記パケット内のヘッダに前記第２の優先度ＩＤを挿入することと、
を備える、方法。
【請求項２】
前記第１の無線チャネルおよび前記第２の無線チャネルはバックホール無線チャネルであり、前記第３の無線チャネルおよび前記第４の無線チャネルはアクセス無線チャネルであり、前記第３の無線チャネルの前記構成は第１のベアラＩＤを含み、前記第４の無線チャネルの前記構成は第２のベアラＩＤを含む、請求項１に記載の方法。
【請求項３】
前記第１の無線チャネルおよび前記第２の無線チャネルは、第１のピアへのバックホール無線チャネルであり、前記第３の無線チャネルおよび前記第４の無線チャネルは、第２のピアへのバックホール無線チャネルである、請求項１に記載の方法。
【請求項４】
前記第１の無線チャネルまたは前記第２の無線チャネルは、セルラ無線リンク制御（ＲＬＣ）チャネルまたはセルラ無線ベアラのうちの１つである、請求項１に記載の方法。
【請求項５】
前記セルラ無線ベアラは、データ無線ベアラまたはシグナリング無線ベアラである、請求項４に記載の方法。
【請求項６】
前記第１の無線チャネルの前記構成または前記第２の無線チャネルの前記構成はルートＩＤも含み、前記方法は、前記対応する無線チャネル上で転送されるパケット内の前記ヘッダに前記ルートＩＤを挿入することをさらに備える、請求項１に記載の方法。
【請求項７】
前記第３の無線チャネルから前記第１の無線チャネルに転送される前記パケットに、および前記第４の無線チャネルから前記第２の無線チャネルに転送される前記パケットに、前記ヘッダを挿入することをさらに含み、前記ヘッダは、前記優先度ＩＤおよびベアラＩＤを搬送する、請求項１に記載の方法。
【請求項８】
前記第１の無線チャネルから前記第３の無線チャネルに転送された前記パケットから、および前記第２の無線チャネルから前記第４の無線チャネルに転送された前記パケットから、ヘッダを除去することをさらに含む、請求項７に記載の方法。
【請求項９】
前記転送することは、前記第１の無線チャネルまたは前記第２の無線チャネル上で到着するパケットを、前記パケットのヘッダ内で搬送されるベアラＩＤまたは優先度ＩＤに基づいて、前記第３の無線チャネルまたは前記第４の無線チャネルに転送することを備える、請求項１に記載の方法。
【請求項１０】
前記構成は、統合アクセスおよびバックホール（ＩＡＢ）制御機能または中央ユニットコントローラ（ＣＵ−Ｃ）から受信される、請求項１に記載の方法。
【請求項１１】
前記第１のマッピングに基づいて前記第１の無線チャネルから前記第３の無線チャネルにパケットを転送し、前記第１の無線チャネルからの前記パケット内のヘッダに前記第１の優先度ＩＤを挿入することと、
前記第２のマッピングに基づいて前記第２の無線チャネルから前記第４の無線チャネルにパケットを転送し、前記第２の無線チャネルからの前記パケット内のヘッダに前記第２の優先度ＩＤを挿入することと、
をさらに備える、請求項１に記載の方法。
【請求項１２】
基地局であって、
メモリと、
前記メモリと通信するプロセッサと、
を備え、ここにおいて、前記プロセッサが、
第１の優先度および第１の優先度ＩＤを有する第１の無線チャネルのための構成を受信し、第２の優先度および第２の優先度ＩＤを有する第２の無線チャネルのための構成を受信することと、
前記第１の優先度への第１のマッピングを有する第３の無線チャネルのための構成を受信し、前記第２の優先度への第２のマッピングを有する第４の無線チャネルのための構成を受信することと、
前記第１のマッピングに基づいて前記第３の無線チャネルから前記第１の無線チャネルにパケットを転送し、前記第３の無線チャネルからの前記パケット内のヘッダに前記第１の優先度ＩＤを挿入することと、
前記第２のマッピングに基づいて前記第４の無線チャネルから前記第２の無線チャネルにパケットを転送し、前記第４の無線チャネルからの前記パケット内のヘッダに前記第２の優先度ＩＤを挿入することと、
を行うように構成される、基地局。
【請求項１３】
前記第１の無線チャネルおよび前記第２の無線チャネルはバックホール無線チャネルであり、前記第３の無線チャネルおよび前記第４の無線チャネルはアクセス無線チャネルであり、前記第３の無線チャネルの前記構成は第１のベアラＩＤを含み、前記第４の無線チャネルの前記構成は第２のベアラＩＤを含む、請求項１２に記載の基地局。
【請求項１４】
前記第１の無線チャネルおよび前記第２の無線チャネルは、第１のピアへのバックホール無線チャネルであり、前記第３の無線チャネルおよび前記第４の無線チャネルは、第２のピアへのバックホール無線チャネルである、請求項１２に記載の基地局。
【請求項１５】
前記第１の無線チャネルまたは前記第２の無線チャネルは、セルラ無線リンク制御（ＲＬＣ）チャネルまたはセルラ無線ベアラのうちの１つである、請求項１２に記載の基地局。
【請求項１６】
前記セルラ無線ベアラは、データ無線ベアラまたはシグナリング無線ベアラである、請求項１５に記載の基地局。
【請求項１７】
前記第１の無線チャネルの前記構成または前記第２の無線チャネルの前記構成はルートＩＤも含み、前記プロセッサは、前記対応する無線チャネル上で転送されるパケット内の前記ヘッダに前記ルートＩＤを挿入するように構成される、請求項１２に記載の基地局。
【請求項１８】
前記プロセッサは、前記第３の無線チャネルから前記第１の無線チャネルに転送される前記パケットに、および前記第４の無線チャネルから前記第２の無線チャネルに転送される前記パケットに、前記ヘッダを挿入するように構成され、前記ヘッダは、前記優先度ＩＤおよびベアラＩＤを搬送する、請求項１２に記載の基地局。
【請求項１９】
前記プロセッサは、前記第１の無線チャネルから前記第３の無線チャネルに転送された前記パケットから、および前記第２の無線チャネルから前記第４の無線チャネルに転送された前記パケットから、ヘッダを除去するように構成される、請求項１２に記載の基地局。
【請求項２０】
前記プロセッサは、前記第１の無線チャネルまたは前記第２の無線チャネル上で到着するパケットを、前記パケットのヘッダ内で搬送されるベアラＩＤまたは優先度ＩＤに基づいて、前記第３の無線チャネルまたは前記第４の無線チャネルに転送するように構成される、請求項１２に記載の基地局。
【請求項２１】
前記構成は、統合アクセスおよびバックホール（ＩＡＢ）制御機能または中央ユニットコントローラ（ＣＵ−Ｃ）から受信される、請求項１２に記載の基地局。
【請求項２２】
前記プロセッサが、
前記第１のマッピングに基づいて前記第１の無線チャネルから前記第３の無線チャネルにパケットを転送し、前記第１の無線チャネルからの前記パケット内のヘッダに前記第１の優先度ＩＤを挿入することと、
前記第２のマッピングに基づいて前記第２の無線チャネルから前記第４の無線チャネルにパケットを転送し、前記第２の無線チャネルからの前記パケット内のヘッダに前記第２の優先度ＩＤを挿入することと、
を行うように構成された、請求項１２に記載の基地局。
【請求項２３】
基地局であって、
第１の優先度および第１の優先度ＩＤを有する第１の無線チャネルのための構成を受信し、第２の優先度および第２の優先度ＩＤを有する第２の無線チャネルのための構成を受信するための手段と、
前記第１の優先度への第１のマッピングを有する第３の無線チャネルのための構成を受信し、前記第２の優先度への第２のマッピングを有する第４の無線チャネルのための構成を受信するための手段と、
前記第１のマッピングに基づいて前記第３の無線チャネルから前記第１の無線チャネルにパケットを転送し、前記第３の無線チャネルからの前記パケット内のヘッダに前記第１の優先度ＩＤを挿入するための手段と、
前記第２のマッピングに基づいて前記第４の無線チャネルから前記第２の無線チャネルにパケットを転送し、前記第４の無線チャネルからの前記パケット内のヘッダに前記第２の優先度ＩＤを挿入するための手段と、
を備える、基地局。
【請求項２４】
ワイヤレス通信のためにプロセッサによって実行可能なコンピュータコードを記憶する非一時的コンピュータ可読媒体であって、
第１の優先度および第１の優先度ＩＤを有する第１の無線チャネルのための構成を受信し、第２の優先度および第２の優先度ＩＤを有する第２の無線チャネルのための構成を受信することと、
前記第１の優先度への第１のマッピングを有する第３の無線チャネルのための構成を受信し、前記第２の優先度への第２のマッピングを有する第４の無線チャネルのための構成を受信することと、
前記第１のマッピングに基づいて前記第３の無線チャネルから前記第１の無線チャネルにパケットを転送し、前記第３の無線チャネルからの前記パケット内のヘッダに前記第１の優先度ＩＤを挿入することと、
前記第２のマッピングに基づいて前記第４の無線チャネルから前記第２の無線チャネルにパケットを転送し、前記第４の無線チャネルからの前記パケット内のヘッダに前記第２の優先度ＩＤを挿入することと、
を行うように実行可能な１つまたは複数のコードを備える、非一時的コンピュータ可読媒体。
【請求項２５】
ドナーノードのためのワイヤレス通信の方法であって、
第１の優先度および第１の優先度ＩＤを有する第１のバックホール無線チャネルのための構成を受信し、第２の優先度および第２の優先度ＩＤを有する第２のバックホール無線チャネルのための構成を受信することと、
第１のベアラＩＤおよび前記第１の優先度への第１のマッピングを有する第１のトンネルのための構成を受信し、第２のベアラＩＤおよび前記第２の優先度への第２のマッピングを有する第２のトンネルのための構成を受信することと、
前記第１のマッピングに基づいて前記第１のトンネルから前記第１のバックホール無線チャネルにパケットを転送し、前記第１のトンネルからの前記パケット内のヘッダに前記第１の優先度ＩＤを挿入することと、
前記第２のマッピングに基づいて前記第２のトンネルから前記第２のバックホール無線チャネルにパケットを転送し、前記第２のトンネルからの前記パケット内のヘッダに前記第２の優先度ＩＤを挿入することと、
を備える、方法。
【請求項２６】
前記第１のバックホール無線チャネルまたは前記第２のバックホール無線チャネルは、セルラ無線リンク制御（ＲＬＣ）チャネル、セルラデータ無線ベアラ、またはセルラシグナリング無線ベアラのうちの１つである、請求項２５に記載の方法。
【請求項２７】
前記第１のバックホール無線チャネルまたは前記第２のバックホール無線チャネルの前記構成がルートＩＤを含み、前記方法が、前記対応する無線チャネル上で転送されるパケット内のヘッダに前記ルートＩＤを挿入することをさらに備える、請求項２５に記載の方法。
【請求項２８】
前記第１のトンネルから前記第１のバックホール無線チャネルに、および前記第２のトンネルから前記第２のバックホール無線チャネルに転送される前記パケットに、新しいヘッダを挿入することをさらに備え、前記ヘッダは、前記優先度ＩＤおよび前記ベアラＩＤを搬送する、請求項２５に記載の方法。
【請求項２９】
前記第１のバックホール無線チャネルから前記第１のトンネルに、および前記第２のバックホール無線チャネルから前記第２のトンネルに転送されたパケットから、受信されたヘッダを除去することをさらに備える、請求項２５に記載の方法。
【請求項３０】
前記第１のバックホール無線チャネルまたは前記第２のバックホール無線チャネル上で到着するパケットは、前記パケットのヘッダ内で搬送される前記ベアラＩＤまたは前記優先度ＩＤに基づいて、前記第１のまたは第２のトンネルに転送される、請求項２５に記載の方法。
【請求項３１】
前記構成は、統合アクセスおよびバックホール（ＩＡＢ）制御機能または中央ユニットコントローラ（ＣＵ−Ｃ）から受信される、請求項２５に記載の方法。
【請求項３２】
基地局であって、
メモリと、
前記メモリと通信するプロセッサと、
を備え、ここにおいて、前記プロセッサが、
第１の優先度および第１の優先度ＩＤを有する第１のバックホール無線チャネルのための構成を受信し、第２の優先度および第２の優先度ＩＤを有する第２のバックホール無線チャネルのための構成を受信することと、
第１のベアラＩＤおよび前記第１の優先度への第１のマッピングを有する第１のトンネルのための構成を受信し、第２のベアラＩＤおよび前記第２の優先度への第２のマッピングを有する第２のトンネルのための構成を受信することと、
前記第１のマッピングに基づいて前記第１のトンネルから前記第１のバックホール無線チャネルにパケットを転送し、前記第１のトンネルからの前記パケット内のヘッダに前記第１の優先度ＩＤを挿入することと、
前記第２のマッピングに基づいて前記第２のトンネルから前記第２のバックホール無線チャネルにパケットを転送し、前記第２のトンネルからの前記パケット内のヘッダに前記第２の優先度ＩＤを挿入することと、
を行うように構成される、基地局。
【請求項３３】
前記第１のバックホール無線チャネルまたは前記第２のバックホール無線チャネルは、セルラ無線リンク制御（ＲＬＣ）チャネル、セルラデータ無線ベアラ、またはセルラシグナリング無線ベアラのうちの１つである、請求項３２に記載の基地局。
【請求項３４】
前記第１のバックホール無線チャネルまたは前記第２のバックホール無線チャネルの前記構成がルートＩＤを含み、前記方法が、前記対応する無線チャネル上で転送されるパケット内のヘッダに前記ルートＩＤを挿入することをさらに備える、請求項３２に記載の基地局。
【請求項３５】
前記プロセッサは、前記第１のトンネルから前記第１のバックホール無線チャネルに、および前記第２のトンネルから前記第２のバックホール無線チャネルに転送される前記パケットに、新しいヘッダを挿入するように構成され、前記ヘッダは、前記優先度ＩＤおよび前記ベアラＩＤを搬送する、請求項３２に記載の基地局。
【請求項３６】
前記プロセッサは、前記第１のバックホール無線チャネルから前記第１のトンネルに、および前記第２のバックホール無線チャネルから前記第２のトンネルに転送されたパケットから、受信されたヘッダを除去するように構成される、請求項３２に記載の基地局。
【請求項３７】
前記第１のバックホール無線チャネルまたは前記第２のバックホール無線チャネル上で到着するパケットは、前記パケットのヘッダ内で搬送される前記ベアラＩＤまたは前記優先度ＩＤに基づいて、前記第１のまたは第２のトンネルに転送される、請求項３２に記載の基地局。
【請求項３８】
前記構成は、統合アクセスおよびバックホール（ＩＡＢ）制御機能または中央ユニットコントローラ（ＣＵ−Ｃ）から受信される、請求項３２に記載の基地局。
【請求項３９】
基地局であって、
第１の優先度および第１の優先度ＩＤを有する第１のバックホール無線チャネルのための構成を受信し、第２の優先度および第２の優先度ＩＤを有する第２のバックホール無線チャネルのための構成を受信するための手段と、
第１のベアラＩＤおよび前記第１の優先度への第１のマッピングを有する第１のトンネルのための構成を受信し、第２のベアラＩＤおよび前記第２の優先度への第２のマッピングを有する第２のトンネルのための構成を受信するための手段と、
前記第１のマッピングに基づいて前記第１のトンネルから前記第１のバックホール無線チャネルにパケットを転送し、前記第１のトンネルからの前記パケット内のヘッダに前記第１の優先度ＩＤを挿入するための手段と、
前記第２のマッピングに基づいて前記第２のトンネルから前記第２のバックホール無線チャネルにパケットを転送し、前記第２のトンネルからの前記パケット内のヘッダに前記第２の優先度ＩＤを挿入するための手段と、
を備える、基地局。
【請求項４０】
ワイヤレス通信のためにプロセッサによって実行可能なコンピュータコードを記憶する非一時的コンピュータ可読媒体であって、
第１の優先度および第１の優先度ＩＤを有する第１のバックホール無線チャネルのための構成を受信し、第２の優先度および第２の優先度ＩＤを有する第２のバックホール無線チャネルのための構成を受信することと、
第１のベアラＩＤおよび前記第１の優先度への第１のマッピングを有する第１のトンネルのための構成を受信し、第２のベアラＩＤおよび前記第２の優先度への第２のマッピングを有する第２のトンネルのための構成を受信することと、
前記第１のマッピングに基づいて前記第１のトンネルから前記第１のバックホール無線チャネルにパケットを転送し、前記第１のトンネルからの前記パケット内のヘッダに前記第１の優先度ＩＤを挿入することと、
前記第２のマッピングに基づいて前記第２のトンネルから前記第２のバックホール無線チャネルにパケットを転送し、前記第２のトンネルからの前記パケット内のヘッダに前記第２の優先度ＩＤを挿入することと、
を行うように実行可能な１つまたは複数のコードを備える、非一時的コンピュータ可読媒体。
【発明の詳細な説明】
【技術分野】
【０００１】
［優先権の主張］
[0001]  本出願は、「QOS SUPPORT IN WIRELESS BACKHAUL NETWORKS USING CELLULAR RADIO-ACCESS TECHNOLOGIES」と題され、２０１８年３月１９日に出願された米国仮出願第６２／６４５，０９５号、および「QOS SUPPORT IN WIRELESS BACKHAUL NETWORKS USING CELLULAR RADIO-ACCESS TECHNOLOGIES」と題され、２０１９年２月１２日に出願された米国特許出願第１６／２７３，６１０号に対する優先権を主張し、それらは全体が参照により明確に組み込まれる。
［背景技術］
[0002]  本開示の態様は、一般にワイヤレス通信ネットワーク（wireless communication network）に関し、より詳細には、ワイヤレスバックホールネットワーク（wireless backhaul network）に関する。
【背景技術】
【０００２】
[0003]  ワイヤレス通信ネットワークは、音声、ビデオ、パケットデータ、メッセージング、ブロードキャストなどの様々なタイプの通信コンテンツを提供するために広く展開されている。これらのシステムは、利用可能なシステムリソース（例えば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００３】
[0004]  これらの多元接続技術は、異なるワイヤレスデバイスが都市、国家、地域、さらには地球規模で通信することを可能にする共通プロトコルを提供するために、様々な電気通信規格において採用されている。例えば、第５世代（５Ｇ：fifth generation）ワイヤレス通信技術（新無線（ＮＲ：new radio）と呼ばれることがある）は、現在のモバイルネットワーク世代に関して様々な使用シナリオおよびアプリケーションを拡張およびサポートすることが想定される。一態様では、５Ｇ通信技術は、マルチメディアコンテンツ、サービス、およびデータへのアクセスのための人間主体の使用事例に対処する拡張モバイルブロードバンドと、レイテンシ（latency）および信頼性（reliability）のためのある特定の仕様を有する超高信頼低レイテンシ通信（ＵＲＬＬＣ：ultra-reliable-low latency communication）と、非常に多数の接続されたデバイスおよび比較的少量の非遅延センシティブ情報（non-delay-sensitive information）の送信を可能にし得る大規模マシンタイプ通信（massive machine type communication）と、を含み得る。しかしながら、モバイルブロードバンドアクセスに対する需要が増加し続けるにつれて、ＮＲ通信技術およびそれを越えるもののさらなる改善が望まれ得る。
【０００４】
[0005]  例えば、ＮＲ通信技術およびそれを越えるものについて、現在のバックホールソリューション（backhaul solution）は、効率的な動作のための所望のレベルの速度またはカスタマイゼーションを提供しないことがある。したがって、ワイヤレス通信動作における改善が望まれ得る。
【発明の概要】
【０００５】
[0006]  以下は、１つまたは複数の態様の基本的な理解を与えるために、そのような態様の簡略化された概要を提示する。この概要は、すべての企図された態様の広範な概観ではなく、すべての態様の主要なまたは重要な要素を識別することも、任意のまたはすべての態様の範囲を説明することも意図されない。その唯一の目的は、後に提示されるより詳細な説明の前置きとして、簡略化された形態で１つまたは複数の態様のいくつかの概念を提示することである。
【０００６】
[0007]  一態様では、本開示は、中継ノード（relay node）がワイヤレスバックホール（wireless backhaul）を介してサービス品質（ＱｏＳ：wireless backhaul）を提供するためのワイヤレス通信（wireless communication）の方法を含む。本方法は、第１の優先度（first priority）および第１の優先度ＩＤを有する第１の無線チャネル（first radio channel）のための構成（configuration）を受信することと、第２の優先度（second priority）および第２の優先度ＩＤを有する第２の無線チャネル（second radio channel）のための構成を受信することとを含み得る。本方法は、第１のベアラＩＤ（first bearer ID）および第１の優先度への第１のマッピング（first mapping）を有する第３の無線チャネル（third radio channel）のための構成を受信することと、第２のベアラＩＤ（second bearer ID）および第２の優先度への第２のマッピング（second mapping）を有する第４の無線チャネル（fourth radio channel）のための構成を受信することとを含み得る。本方法は、第１のマッピングに基づいて第３の無線チャネルから第１の無線チャネルにパケット（packet）を転送（forward）することと、第３の無線チャネルからのパケット内のヘッダ（header）に第１の優先度ＩＤを挿入（insert）することとを含み得る。本方法は、第２のマッピングに基づいて第４の無線チャネルから第２の無線チャネルにパケットを転送することと、第４の無線チャネルからのパケット内のヘッダに第２の優先度ＩＤを挿入することとを含み得る。
【０００７】
[0008]  一態様では、本開示は基地局（base station）を提供する。基地局は、メモリと、メモリと通信するプロセッサとを含み得る。プロセッサは、第１の優先度および第１の優先度ＩＤを有する第１の無線チャネルのための構成を受信し、第２の優先度および第２の優先度ＩＤを有する第２の無線チャネルのための構成を受信するように構成され得る。プロセッサは、第１の優先度への第１のマッピングを有する第３の無線チャネルのための構成を受信し、第２の優先度への第２のマッピングを有する第４の無線チャネルのための構成を受信するように構成され得る。プロセッサは、第１のマッピングに基づいて第３の無線チャネルから第１の無線チャネルにパケットを転送し、第３の無線チャネルからのパケット内のヘッダに第１の優先度ＩＤを挿入するように構成され得る。プロセッサは、第２のマッピングに基づいて第４の無線チャネルから第２の無線チャネルにパケットを転送し、第４の無線チャネルからのパケット内のヘッダに第２の優先度ＩＤを挿入するように構成され得る。
【０００８】
[0009]  別の態様では、本開示は別の基地局を提供する。基地局は、第１の優先度および第１の優先度ＩＤを有する第１の無線チャネルのための構成を受信し、第２の優先度および第２の優先度ＩＤを有する第２の無線チャネルのための構成を受信するための手段を含み得る。基地局は、第１の優先度への第１のマッピングを有する第３の無線チャネルのための構成を受信し、第２の優先度への第２のマッピングを有する第４の無線チャネルのための構成を受信するための手段を含み得る。基地局は、第１のマッピングに基づいて第３の無線チャネルから第１の無線チャネルにパケットを転送し、第３の無線チャネルからのパケット内のヘッダに第１の優先度ＩＤを挿入するための手段を含み得る。基地局は、第２のマッピングに基づいて第４の無線チャネルから第２の無線チャネルにパケットを転送し、第４の無線チャネルからのパケット内のヘッダに第２の優先度ＩＤを挿入するための手段を含み得る。
【０００９】
[0010]  別の態様では、本開示は、ワイヤレス通信のためのプロセッサによって実行可能なコンピュータコード（computer code）を記憶する非一時的コンピュータ可読媒体（non-transitory computer-readable medium）を提供する。非一時的コンピュータ可読媒体は、第１の優先度および第１の優先度ＩＤを有する第１の無線チャネルのための構成を受信し、第２の優先度および第２の優先度ＩＤを有する第２の無線チャネルのための構成を受信するように実行可能な１つまたは複数のコードを含み得る。非一時的コンピュータ可読媒体は、第１の優先度への第１のマッピングを有する第３の無線チャネルのための構成を受信し、第２の優先度への第２のマッピングを有する第４の無線チャネルのための構成を受信するように実行可能な１つまたは複数のコードを含み得る。非一時的コンピュータ可読媒体は、第１のマッピングに基づいて第３の無線チャネルから第１の無線チャネルにパケットを転送し、第３の無線チャネルからのパケット内のヘッダに第１の優先度ＩＤを挿入するように実行可能な１つまたは複数のコードを含み得る。非一時的コンピュータ可読媒体は、第２のマッピングに基づいて第４の無線チャネルから第２の無線チャネルにパケットを転送し、第４の無線チャネルからのパケット内のヘッダに第２の優先度ＩＤを挿入するように実行可能な１つまたは複数のコードを含み得る。
【００１０】
[0011]  一態様では、本開示は、ドナーノード（donor node）のためのワイヤレス通信の方法を含む。本方法は、第１の優先度および第１の優先度ＩＤを有する第１のバックホール無線チャネル（backhaul radio channel）のための構成を受信し、第２の優先度および第２の優先度ＩＤを有する第２のバックホール無線チャネルのための構成を受信することを含み得る。本方法は、第１のベアラＩＤおよび第１の優先度への第１のマッピングを有する第１のトンネル（first tunnel）のための構成を受信し、第２のベアラＩＤおよび第２の優先度への第２のマッピングを有する第２のトンネル（second tunnel）のための構成を受信することを含み得る。本方法は、第１のマッピングに基づいて第１のトンネルから第１のバックホール無線チャネルにパケットを転送し、第１のトンネルからのパケット内のヘッダに第１の優先度ＩＤを挿入することを含み得る。本方法は、第２のマッピングに基づいて第２のトンネルから第２のバックホール無線チャネルにパケットを転送し、第２のトンネルからのパケット内のヘッダに第２の優先度ＩＤを挿入することを含み得る。
【００１１】
[0012]  別の態様では、本開示は、ドナーノードであり得る基地局を含む。基地局は、メモリと、メモリと通信するプロセッサとを含み得る。プロセッサは、第１の優先度および第１の優先度ＩＤを有する第１のバックホール無線チャネルのための構成を受信し、第２の優先度および第２の優先度ＩＤを有する第２のバックホール無線チャネルのための構成を受信するように構成され得る。プロセッサは、第１のベアラＩＤおよび第１の優先度への第１のマッピングを有する第１のトンネルのための構成を受信し、第２のベアラＩＤおよび第２の優先度への第２のマッピングを有する第２のトンネルのための構成を受信するように構成され得る。プロセッサは、第１のマッピングに基づいて第１のトンネルから第１のバックホール無線チャネルにパケットを転送し、第１のトンネルからのパケット内のヘッダに第１の優先度ＩＤを挿入するように構成され得る。プロセッサは、第２のマッピングに基づいて第２のトンネルから第２のバックホール無線チャネルにパケットを転送し、第２のトンネルからのパケット内のヘッダに第２の優先度ＩＤを挿入するように構成され得る。
【００１２】
[0013]  別の態様では、本開示は、ドナーノードであり得る別の基地局を含む。基地局は、第１の優先度および第１の優先度ＩＤを有する第１のバックホール無線チャネルのための構成を受信し、第２の優先度および第２の優先度ＩＤを有する第２のバックホール無線チャネルのための構成を受信するための手段を含み得る。基地局は、第１のベアラＩＤおよび第１の優先度への第１のマッピングを有する第１のトンネルのための構成を受信し、第２のベアラＩＤおよび第２の優先度への第２のマッピングを有する第２のトンネルのための構成を受信するための手段を含み得る。基地局は、第１のマッピングに基づいて第１のトンネルから第１のバックホール無線チャネルにパケットを転送し、第１のトンネルからのパケット内のヘッダに第１の優先度ＩＤを挿入するための手段を含み得る。基地局は、第２のマッピングに基づいて第２のトンネルから第２のバックホール無線チャネルにパケットを転送し、第２のトンネルからのパケット内のヘッダに第２の優先度ＩＤを挿入するための手段を含み得る。
【００１３】
[0014]  別の態様では、本開示は、ワイヤレス通信のためのプロセッサによって実行可能なコンピュータコードを記憶する非一時的コンピュータ可読媒体を提供する。非一時的コンピュータ可読媒体は、第１の優先度および第１の優先度ＩＤを有する第１のバックホール無線チャネルのための構成を受信し、第２の優先度および第２の優先度ＩＤを有する第２のバックホール無線チャネルのための構成を受信するように実行可能な１つまたは複数のコードを含み得る。非一時的コンピュータ可読媒体は、第１のベアラＩＤおよび第１の優先度への第１のマッピングを有する第１のトンネルのための構成を受信し、第２のベアラＩＤおよび第２の優先度への第２のマッピングを有する第２のトンネルのための構成を受信するように実行可能な１つまたは複数のコードを含み得る。非一時的コンピュータ可読媒体は、第１のマッピングに基づいて第１のトンネルから第１のバックホール無線チャネルにパケットを転送し、第１のトンネルからのパケット内のヘッダに第１の優先度ＩＤを挿入するように実行可能な１つまたは複数のコードを含み得る。非一時的コンピュータ可読媒体は、第２のマッピングに基づいて第２のトンネルから第２のバックホール無線チャネルにパケットを転送し、第２のトンネルからのパケット内のヘッダに第２の優先度ＩＤを挿入するように実行可能な１つまたは複数のコードを含み得る。
【００１４】
[0015]  上記および関連する目的を達成するために、１つまたは複数の態様は、以下で十分に説明され、特許請求の範囲において特に指摘される特徴を備える。以下の説明および添付の図面は、１つまたは複数の態様のある特定の例示的な特徴を詳細に示す。しかしながら、これらの特徴は、様々な態様の原理が採用され得る様々な方法のうちのほんのいくつかを示すものであり、この説明は、すべてのそのような態様およびそれらの均等物を含むものとする。
【００１５】
[0016]  開示される態様は、開示される態様を限定するためではなく例示するために提供される添付の図面とともに以下で説明され、ここで同様の名称は同様の要素を示す。
【図面の簡単な説明】
【００１６】
【図１Ａ】[0017]  図１Ａは、ワイヤレスバックホールを介してＱｏＳを提供するために本開示に従って構成された中継ＱｏＳコンポーネント（relay QoS component）および／またはドナーＱｏＳコンポーネントを含むノードを有する例示的なワイヤレス通信ネットワークの概略図である。
【図１Ｂ】[0018]  図１Ｂは、例示的な５Ｇコアネットワークの概略図である。
【図２】[0019]  図２は、中継ノードを含む例示的なワイヤレスバックホールネットワークのネットワーク図である。
【図３】[0020]  図３は、ｇＮＢ分散ユニットとｇＮＢ中央ユニットとの間のフロントホール（fronthaul）を拡張する例示的なワイヤレスバックホールネットワークのネットワーク図である。
【図４】[0021]  図４は、ｇＮＢ分散ユニットとｇＮＢ中央ユニットとの間のフロントホール上でＱｏＳを実施する例示的なワイヤレスバックホールネットワークのネットワーク図である。
【図５Ａ】[0022]  図５Ａは、アダプテーションレイヤ（adaptation layer）を含む例示的なプロトコルスタック（protocol stack）を示す図である。
【図５Ｂ】図５Ｂは、アダプテーションレイヤを含む例示的なプロトコルスタックを示す図である。
【図５Ｃ】図５Ｃは、アダプテーションレイヤを含む例示的なプロトコルスタックを示す図である。
【図５Ｄ】図５Ｄは、アダプテーションレイヤを含む例示的なプロトコルスタックを示す図である。
【図６】[0023]  図６は、ワイヤレスバックホールを介してＱｏＳを提供するように中継ノードを動作させる方法の例のフロー図である。
【図７】[0024]  図７は、ワイヤレスバックホールを介してＱｏＳを提供するようにドナーノードを動作させる方法の例のフロー図である。
【図８】[0025]  図８は、図１の中継ノードの例示的なコンポーネントの概略図である。
【図９】[0026]  図９は、図１のドナーノードの例示的なコンポーネントの概略図である。
【詳細な説明】
【００１７】
[0027]  次に、図面を参照しながら様々な態様について説明する。以下の説明では、説明の目的で、１つまたは複数の態様の完全な理解を提供するために多数の特定の詳細が記載される。しかしながら、そのような態様（１つまたは複数の）は、これらの具体的な詳細なしに実施され得ることが明らかであり得る。さらに、本明細書で使用する「コンポーネント（component）」という用語は、システムを構成する部分のうちの１つであり得、ハードウェア、ファームウェア、および／またはコンピュータ可読媒体上に記憶されたソフトウェアであり得、他のコンポーネントに分割され得る。
【００１８】
[0028]  本開示は、一般に、統合アクセスおよびバックホール（ＩＡＢ：Integrated Access and Backhaul）ネットワークなど、セルラ無線アクセス技術（ＲＡＴ：radio access technology）を使用するワイヤレスバックホールネットワークに関する。本開示は、セルラ技術を使用するセルフバックホール（self-backhauling）にも適用される。
【００１９】
[0029]  より具体的には、本開示は、そのようなワイヤレスバックホールネットワークにおけるサービス品質（ＱｏＳ）サポートに関する問題に対処する。ワイヤレス中継器（wireless relay）を介してセルラネットワークにアクセスするユーザ機器（ＵＥ：user equipment）は、異なるＱｏＳクラスの要求を有し得る。セルラＲＡＴは、ベアラ（bearer）の概念を介してそのようなＱｏＳ区別（differentiation）をサポートし、各ベアラは、一意のＱｏＳクラス固有の優先度（QoS-class-specific priority）を搬送する。ＵＥのアクセスリンク（access link）上で、様々なベアラのＱｏＳクラス優先度は、ＭＡＣレイヤスケジューラによって実施される。ワイヤレス媒体は異なるＱｏＳクラスに関連するトラフィックフロー間で共有されるので、ワイヤレスバックホールネットワークにおいてＱｏＳ区別を提供するために、ＱｏＳ優先順位付け（QoS-prioritization）もバックホールリンク（backhaul link）に適用される必要がある。現在、アクセスリンクと首尾一貫してワイヤレスバックホールリンク（wireless backhaul link）を介してＱｏＳを提供するためのメカニズム（mechanism）はない。したがって、アクセスリンクＱｏＳクラスをワイヤレスバックホールリンクに適用するＱｏＳメカニズムが必要である。そのようなＱｏＳメカニズムは、シグナリングオーバーヘッド（signaling overhead）を著しく増加させるべきではない。例えば、ＱｏＳメカニズムは、追加のユーザプレーントラフィック（user plane traffic）を必要とすべきではない。本開示は、そのような機構を提供する。
【００２０】
[0030]  概して、本開示は、集中制御を用いたＬ２中継ソリューションを説明する。サービスクラスのセットは、ワイヤレスバックホールのためにコントローラによって確立される。加えて、コントローラは、各バックホールリンク上で、各ＱｏＳクラスのための別個のＲＬＣチャネル（または無線ベアラ（radio bearer））を確立する。ＵＥが中継器（relay）にアクセスするとき、コントローラは、ワイヤライン（および任意の中間ノード）と通信可能に結合されたドナー（donor）と中継器上のバックホールリンク上でサポートされる対応するＱｏＳクラスとＵＥのアクセスＲＬＣチャネルの各々との間のマッピング（mapping）を構成する。バックホールネットワークを介して中継器とドナーとの間でパケットを転送することは、Ｌ２ヘッダスタックに挿入されたアダプテーションレイヤヘッダにおいて搬送されるＱｏＳクラス識別子（QoS-class identifier）に基づき得る。アダプテーションレイヤヘッダは、ベアラＩＤ、ルーティングＩＤ、および他の情報をさらに含み得る。アダプテーションレイヤヘッダは、無線リンク制御（ＲＬＣ：radio link control）ヘッダの上または下に存在し得るか、またはＲＬＣヘッダとマージされ得る。アダプテーションレイヤヘッダはまた、パケットデータコンバージェンスプロトコル（ＰＤＣＰ：packet data convergence protocol）ヘッダまたはサービスデータアダプテーションプロトコル（ＳＤＡＰ：service data adaptation protocol）ヘッダの上に存在し得るか、またはこれらのヘッダのうちの１つとマージされ得る。アダプテーションレイヤヘッダはまた、２つのサブレイヤに分割されてもよく、例えば、ここで一方のサブレイヤがベアラＩＤなどのエンドツーエンド情報を搬送し、他方のサブレイヤがＱｏＳクラスＩＤおよびルーティングＩＤを搬送し、それはホップごと（hop-by-hop）に評価される。例えば、各中継ノードは、次のホップを決定するためにＱｏｓクラスＩＤまたはルーティングＩＤを評価する必要があり得るが、ベアラＩＤはコアネットワークによってのみ使用され得る。
【００２１】
[0031]  一態様では、本開示は、各中継器がアクセスのためにｇＮＢ−ＤＵを保持し、各バックホールリンク上でＲＬＣチャネルまたは無線ベアラをサポートする、中央ユニット（ＣＵ：central unit）分散ユニット（ＤＵ：distributed unit）分割アーキテクチャに適用可能である。本開示はまた、各中継器がＵＥアクセスのために中継器上で完全なｇＮＢ機能を保持するシナリオに適用可能である。
【００２２】
[0032]  本態様の追加の特徴は、図１〜図９に関して以下でより詳細に説明される。
【００２３】
[0033]  本明細書で説明する技法は、ＣＤＭＡ、ＴＤＭＡ、ＦＤＭＡ、ＯＦＤＭＡ、ＳＣ−ＦＤＭＡ、および他のシステムなど、様々なワイヤレス通信ネットワークのために使用され得ることに留意されたい。「システム」、「ネットワーク」という用語はしばしば置換可能に使用される。ＣＤＭＡシステムは、ＣＤＭＡ２０００、ユニバーサル地上無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形を含む。ＴＤＭＡシステムは、移動体通信のためのグローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ（登録商標））およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書で説明する技法は、共有無線周波数スペクトル帯域を介したセルラ（例えば、ＬＴＥ）通信を含む、上述のシステムおよび無線技術ならびに他のシステムおよび無線技術のために使用され得る。しかしながら、以下の説明は、例としてＬＴＥ／ＬＴＥ−Ａおよび５Ｇシステムを説明し、以下の説明の大部分においてＬＴＥおよび５Ｇ用語が使用されるが、本技法は他の次世代通信システムに適用可能であり得る。
【００２４】
[0034]  以下の説明は、例を与えるものであり、特許請求の範囲に記載される範囲、適用可能性、または例を限定するものではない。本開示の範囲から逸脱することなく、説明した要素の機能および配置に変更を加えることができる。様々な例は、必要に応じて、様々な手順またはコンポーネントを省略、置換、または追加し得る。例えば、説明される方法は、説明される順序とは異なる順序で実行され得、様々なステップが追加、省略、または組み合わされ得る。また、いくつかの例に関して説明される特徴は、他の例において組み合わされ得る。
【００２５】
[0035]  図１を参照すると、本開示の様々な態様によれば、例示的なワイヤレス通信ネットワーク１００は、ワイヤレスバックホール１３４を介してＱｏＳを提供する中継ＱｏＳコンポーネント（relay QoS component）１５０を有するモデム１４０を有する少なくとも１つの基地局１０２−ｂ、１０２−ｃを含む。図示されたように、基地局１０２−ｂおよび１０２−ｃは、５Ｇコアネットワーク１８０への直接的なバックホールリンク１３２（たとえば、ＮＧインタフェース）を有しないことがある。「中継ノード」という用語は、コアネットワークへの直接的なバックホールリンクを有しない基地局を指し得る。対照的に、「ドナーノード」という用語は、コアネットワークへの直接的なバックホールリンクを有する基地局を指し得る。さらに、ワイヤレスワイドエリアネットワーク（ＷＷＡＮ）とも呼ばれるワイヤレス通信ネットワーク１００は、ワイヤレスバックホール１３４のためのＱｏＳを与えるドナーＱｏＳコンポーネント１７０を有するモデム１６０を有する少なくとも１つの基地局１０２−ａを含む。基地局１０２−ａは、コアネットワーク１８０へのバックホールリンク１３２を含むドナーノードであり得る。基地局１０２−ｂおよび１０２−ｃの中継ノードは、基地局１０２−ａのドナーノードを介してワイヤレスバックホール１３４を確立し得る。以下でさらに詳細に説明するように、基地局１０２は各々、ワイヤレスバックホール１３４を介した送信のためのパケットを区別するためのマッピングを用いて構成され得る。したがって、本開示によれば、基地局１０２は、ワイヤレスバックホール１３４を介してＱｏＳ区別を提供し得る。
【００２６】
[0036]  （代替的にｇノードＢ（ｇＮＢ）と呼ばれ得る）基地局１０２は、バックホールリンク１３２（たとえば、ＮＧインタフェース）を通して５Ｇコアネットワーク１８０とインタフェースする。他の機能に加えて、基地局１０２は、以下の機能、すなわち、ユーザデータの転送、無線チャネル暗号化および解読、完全性保護、ヘッダ圧縮、モビリティ制御機能（たとえば、ハンドオーバ、二重接続性）、セル間干渉調整、接続セットアップおよび解放、負荷バランシング、非アクセス層（ＮＡＳ）メッセージのための配信、ＮＡＳノード選択、同期、無線アクセスネットワーク（ＲＡＮ：radio access network）共有、マルチメディアブロードキャストマルチキャストサービス（ＭＢＭＳ）、加入者および機器追跡、ＲＡＮ情報管理（ＲＩＭ）、ページング、測位、ならびに警告メッセージの配信のうちの１つまたは複数を実行し得る。基地局１０２は、バックホールリンク１３２、１３４（たとえば、Ｘ２インタフェース）を介して互いに直接または間接的に（例えば、５Ｇコアネットワーク１８０を通して）通信し得る。バックホールリンク１３２、１３４は、ワイヤードまたはワイヤレスであり得る。一態様では、本開示は、バックホールリンク１３４のうちの少なくともいくつかがワイヤレスであるネットワークに関する。
【００２７】
[0037]  基地局１０２は、ＵＥ１０４とワイヤレス通信し得る。基地局１０２の各々は、それぞれの地理的カバレッジエリア１１０に通信カバレッジを提供し得る。重複する地理的カバレッジエリア１１０があり得る。例えば、スモールセル１０２’は、１つまたは複数のマクロ基地局１０２のカバレッジエリア１１０と重複するカバレッジエリア１１０’を有し得る。スモールセルとマクロセルの両方を含むネットワークは、異種ネットワークとして知られ得る。異種ネットワークはまた、ホーム発展型ノードＢ（ｅＮＢ）（ＨｅＮＢ）および／またはｇＮＢを含み得、それらは、限定加入者グループ（ＣＳＧ）として知られる制限されたグループにサービスを提供し得る。基地局１０２とＵＥ１０４との間の通信リンク１２０は、ＵＥ１０４から基地局１０２へのアップリンク（ＵＬ）（逆方向リンクとも呼ばれる）送信および／または基地局１０２からＵＥ１０４へのダウンリンク（ＤＬ）（順方向リンクとも呼ばれる）送信を含み得る。通信リンク１２０は、空間多重化、ビームフォーミング、および／または送信ダイバーシティを含む、多入力多出力（ＭＩＭＯ）アンテナ技術を使用し得る。通信リンクは、１つまたは複数のキャリアを介してもよい。基地局１０２／ＵＥ１０４は、各方向における送信のために使用される合計Ｙ＊ｘＭＨｚ（ここで、ｘはコンポーネントキャリアの数である）までのキャリアアグリゲーションにおいて割り振られたキャリアごとに、Ｙ  ＭＨｚ（例えば、５、１０、１５、２０、１００ＭＨｚ）までのスペクトル帯域幅を使用し得る。キャリアは、互いに隣接または連続してもしなくてもよい。キャリアの割振りは、ＤＬおよびＵＬに関して非対称であり得る（例えば、ＵＬに対してよりも、より多くのまたはより少ないキャリアが、ＤＬに対して割り振られ得る）。コンポーネントキャリアは、１次コンポーネントキャリアと１つまたは複数の２次コンポーネントキャリアとを含み得る。１次コンポーネントキャリアは、１次セル（Ｐセル）と呼ばれることがあり、２次コンポーネントキャリアは、２次セル（Ｓセル）と呼ばれることがある。
【００２８】
[0038]  ある特定のＵＥ１０４は、デバイスツーデバイス（Ｄ２Ｄ：device-to-device）通信リンク１０８を使用して互いに通信し得る。Ｄ２Ｄ通信リンク１０８は、ＤＬ／ＵＬ  ＷＷＡＮスペクトルを使用し得る。Ｄ２Ｄ通信リンク１０８は、物理サイドリンクブロードキャストチャネル（ＰＳＢＣＨ：physical sidelink broadcast channel）、物理サイドリンク発見チャネル（ＰＳＤＣＨ：physical sidelink discovery channel）、物理サイドリンク共有チャネル（ＰＳＳＣＨ：physical sidelink shared channel）、および物理サイドリンク制御チャネル（ＰＳＣＣＨ：physical sidelink control channel）などの１つまたは複数のサイドリンクチャネルを使用し得る。Ｄ２Ｄ通信は、例えば、ＦｌａｓｈＬｉｎＱ、ＷｉＭｅｄｉａ、Ｂｌｕｅｔｏｏｔｈ（登録商標）、ＺｉｇＢｅｅ、ＩＥＥＥ８０２．１１規格に基づくＷｉ−Ｆｉ、ＬＴＥ、またはＮＲなどの様々なワイヤレスＤ２Ｄ通信システムを介したものであり得る。
【００２９】
[0039]  ワイヤレス通信システムは、５ＧＨｚ無認可周波数スペクトル中で通信リンク１２６を介してＷｉ−Ｆｉ局（ＳＴＡ）１２４と通信しているＷｉ−Ｆｉアクセスポイント（ＡＰ：access point）１２２をさらに含み得る。無認可周波数スペクトル中で通信するとき、ＳＴＡ１２４／ＡＰ１２２は、チャネルが利用可能であるかどうかを決定するために、通信する前にクリアチャネルアセスメント（ＣＣＡ：clear channel assessment）を実行し得る。
【００３０】
[0040]  スモールセル１０２’は、認可および／または無認可周波数スペクトル中で動作し得る。無認可周波数スペクトル中で動作するとき、スモールセル１０２’は、ＮＲを採用し、Ｗｉ−Ｆｉ  ＡＰ１２２によって使用されるのと同じ５ＧＨｚ無認可周波数スペクトルを使用し得る。無認可周波数スペクトルにおいてＮＲを採用するスモールセル１０２’は、アクセスネットワークへのカバレッジをブーストし、および／またはアクセスネットワークの容量を増加させ得る。
【００３１】
[0041]  ｇノードＢ（ｇＮＢ）１０６は、ＵＥ１０４と通信しているミリ波（ｍｍＷ：millimeter wave）周波数および／または近ｍｍＷ（near mmW）周波数において動作し得る。ｇＮＢ１０６がｍｍＷまたは近ｍｍＷ周波数で動作するとき、ｇＮＢ１０６はｍｍＷ基地局と呼ばれることがある。一態様では、ｇＮＢ１０６は、ワイヤレスバックホール１３４を介して別の基地局１０２に接続されたｇＮＢ分散ユニット（ｇＮＢ−ＤＵ）であり得る。極高周波（ＥＨＦ：Extremely high frequency）は、電磁スペクトルにおけるＲＦの一部である。ＥＨＦは、３０ＧＨｚ〜３００ＧＨｚの範囲および１ミリメートル〜１０ミリメートルの波長を有する。この帯域の電波をミリ波と呼ぶことがある。近ｍｍＷは、１００ミリメートルの波長を有する３ＧＨｚの周波数まで下方に延びることができる。超高周波（ＳＨＦ：super high frequency）帯域は、センチメートル波とも呼ばれる３ＧＨｚ〜３０ＧＨｚに及ぶ。ｍｍＷ／近ｍｍＷ無線周波数帯域を使用する通信は、非常に高い経路損失および短距離を有する。ｍｍＷ  ｇＮＢ１０６は、極めて高い経路損失および短距離を補償するために、ＵＥ１０４とのビームフォーミング１８４を利用し得る。
【００３２】
[0042]  基地局はまた、ｇＮＢ、ノードＢ、発展型ノードＢ（ｅＮＢ）、アクセスポイント、基地トランシーバ局、無線基地局、無線トランシーバ、トランシーバ機能、基本サービスセット（ＢＳＳ）、拡張サービスセット（ＥＳＳ）、または何らかの他の好適な用語で呼ばれることもある。基地局１０２は、１つまたは複数のＵＥ１０４のための５Ｇコアネットワーク１８０へのアクセスポイントを提供する。ＵＥ１０４の例は、セルラフォン、スマートフォン、セッション開始プロトコル（ＳＩＰ）フォン、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲームコンソール、タブレット、スマートデバイス、ウェアラブルデバイス、車両、電気メータ、ガスポンプ、大型もしくは小型キッチン機器、ヘルスケアデバイス、インプラント、ディスプレイ、または任意の他の同様の機能デバイスを含む。ＵＥ１０４のうちのいくつかは、ＩｏＴデバイス（例えば、パーキングメーター、ガスポンプ、トースター、車両、心臓モニタなど）と呼ばれることがある。ＵＥ１０４はまた、局、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。
【００３３】
[0043]  様々な開示される例のうちのいくつかに順応し得る通信ネットワークは、階層化プロトコルスタックに従って動作するパケットベースネットワークであり得、ユーザプレーンにおけるデータはＩＰに基づき得る。ユーザプレーンプロトコルスタック（例えば、パケットデータコンバージェンスプロトコル（ＰＤＣＰ）、無線リンク制御（ＲＬＣ）、ＭＡＣなど）は、論理チャネルを介して通信するためにパケットセグメンテーションおよびリアセンブリを実行し得る。例えば、ＭＡＣレイヤは、優先度処理と、トランスポートチャネルへの論理チャネルの多重化とを実行し得る。ＭＡＣレイヤはまた、リンク効率を改善するために、ＭＡＣレイヤにおいて再送信を行うためにハイブリッド自動再送／要求（ＨＡＲＱ：hybrid automatic repeat/request）を使用し得る。制御プレーンでは、ＲＲＣプロトコルレイヤは、ＵＥ１０４と基地局１０２との間のＲＲＣ接続の確立、構成、および維持を提供し得る。ＲＲＣプロトコルレイヤはまた、ユーザプレーンデータのための無線ベアラのコアネットワーク１８０サポートのために使用され得る。物理（ＰＨＹ）レイヤにおいて、トランスポートチャネルは、物理チャネルにマッピングされ得る。
【００３４】
[0044]  一態様では、基地局１０２−ｂおよび１０２−ｃは中継ノードであり得、ここで、モデム１４０は、無線チャネル間でＱｏＳ区別データパケット（QoS differentiated data packets）をマッピングする中継ＱｏＳコンポーネント１５０を含む。例えば、基地局１０２−ｃは、無線アクセスチャネル（radio access channel）を無線バックホールチャネル（radio backhaul channel）にマッピングするアクセス中継ノード（access relay node）であり得、基地局１０２−ｂは、第１のピア基地局（たとえば、基地局１０２−ｃ）とのバックホール無線チャネルを第２のピア基地局（たとえば、基地局１０２−ａ）とのバックホール無線チャネルにマッピングする中間中継ノード（intermediate relay node）であり得る。ピア基地局（peer base station）は、ある基地局がその基地局とのバックホールリンクを確立した基地局を指し得る。中継ＱｏＳコンポーネント１５０は、例えば、異なるＱｏＳレベルをＵＥ１０４に提供する構成された第１の無線チャネル１５１と構成された第２の無線チャネル１５２とを含み得る。中継ＱｏＳコンポーネント１５０は、ワイヤレスバックホール１３４を介してピア基地局に異なるＱｏＳレベルを提供する構成された第３の無線チャネル１５３と構成された第４の無線チャネル１５４とをさらに含み得る。中継ＱｏＳコンポーネント１５０は、第１の無線チャネル１５１から第３の無線チャネル１５３にパケットをマッピングする第１のマッピング１５５を用いて構成され得る。中継ＱｏＳコンポーネント１５０は、第２の無線チャネル１５２から第４の無線チャネル１５４にパケットをマッピングする第２のマッピング１５６を用いて構成され得る。
【００３５】
[0045]  一態様では、基地局１０２−ａはドナーノードであり得、ここで、モデム１６０は、無線チャネル（radio channel）とトンネル（tunnel）との間でＱｏＳ区別データパケットをマッピングするドナーＱｏＳコンポーネント１７０を含む。ドナーＱｏＳコンポーネント１７０は、例えば、ワイヤレスバックホール１３４を介して（例えば、基地局１０２−ｂに）異なるＱｏＳレベルを提供する構成された第１の無線チャネル１７１と構成された第２の無線チャネル１７２とを含み得る。ドナーＱｏＳコンポーネント１７０は、ワイヤードバックホールリンク１３２を介してコアネットワーク１８０に異なるＱｏＳレベルを提供する構成された第１のトンネル１７３と構成された第２のトンネル１７４とをさらに含み得る。ドナーＱｏＳコンポーネント１７０は、第１の無線チャネル１７１から第１のトンネル１７３にパケットをマッピングする第１のマッピング１７５を用いて構成され得る。ドナーＱｏＳコンポーネント１７０は、第２の無線チャネル１７２からのパケットを第２のトンネル１７４にマッピングする第２のマッピング１７６を用いて構成され得る。以下でさらに詳細に説明するように、無線チャネルおよび／またはトンネル間でパケットをマッピングすることによって、ドナーＱｏＳコンポーネント１７０および中継ＱｏＳコンポーネント１５０は、ワイヤレスバックホール１３４上でエンドツーエンドＱｏＳ制御を確立し得る。
【００３６】
[0046]  基地局１０２およびＵＥ１０４は、５Ｇコアネットワーク１８０を通してネットワークに通信することが可能である。コアネットワーク１８０は、アクセスおよびモビリティ管理機能／セッション管理機能（ＡＭＦ／ＳＭＦ：Access and Mobility Management Function/Session Management Function）エンティティ１８２と、ユーザプレーン機能（ＵＰＦ：User Plane Function）１８４と、パケットデータユニット（ＰＤＵ）を通信するための他のエンティティ（entity）またはコンポーネントとを含み得る。
【００３７】
[0047]  図１Ｂを参照すると、５Ｇコアネットワーク１８０の概略図が示される。示されるように、５Ｇコアネットワーク１８０は、認証サーバ機能（ＡＵＳＦ：Authentication Server Function）１９２、統合データ管理（ＵＤＭ：Unified Data Management）１９４、ＡＭＦ／ＳＭＦエンティティ１８２（２つの要素として示される）、ポリシー制御情報（ＰＣＦ：Policy Control Information）１８８、およびアプリケーション機能（ＡＦ：Application Function）１９０、ならびにネットワーク（例えば、ＩＰサービス１８６）がＵＥ１０４およびランダムアクセスネットワーク（ＲＡＮ：random access network）（それは１つまたは複数の基地局１０２を含み得る）と通信するための他のコンポーネントを含み得る。
【００３８】
[0048]  ＡＭＦ１８２は、限定はしないが、登録管理、接続管理、到達可能性管理、モビリティ管理、アクセス認証、アクセス許可、ロケーションサービス管理、およびＥＰＳベアラＩＤ割振りを含むいくつかの機能を提供する。ＳＭＦ１８２は、限定はしないが、セッション管理、ＵＥ  ＩＰアドレス割振りおよび管理、ＡＲＰプロキシおよび／または近隣要請プロキシ、ＵＰ機能の選択および制御を含む機能を提供し、トラフィックを適切な宛先にルーティングするためのＵＰＦにおけるトラフィックステアリング、ポリシー制御機能へのインタフェースの終了、合法的傍受、ＵＰＦにおける課金データ収集の制御および調整、ＮＡＳメッセージのＳＭ部分の終了、ダウンリンクデータ通知、ならびにローミング機能を構成する。ＵＰＦ１８４は、限定はしないが、イントラ／インターＲＡＴモビリティのためのアンカーポイント、データネットワークへの相互接続の外部ＰＤＵセッションポイント（例えば、ＩＰサービス１８６）、パケット検査、ポリシールール情報のユーザプレーン部分、合法的傍受、トラフィック使用報告、ユーザプレーンのためのＱｏＳ処理、アップリンクトラフィック検証、アップリンクおよびダウンリンクにおけるトランスポートレベルパケットマーキング、１つまたは複数の「エンドマーカ（end marker）」の送信および転送、ならびにＡＲＰプロキシおよび／またはネイバー勧誘プロキシを含むいくつかの機能を提供する。ＡＵＳＦ１９２は、５Ｇコアネットワーク１８０内のコンポーネントの認証を処理する。ＵＤＭ１９４は、限定はしないが、認証証明の生成、ユーザ識別処理、アクセス許可、サービス／セッション継続性のサポート、サブスクリプション管理、およびＳＭＳ管理を含むいくつかの機能を提供する。ＰＣＦ１８８は、限定はしないが、ネットワーク挙動を統制するための統合ポリシーフレームワークのサポートを含むいくつかの機能を提供し、実施のための制御プレーン機能にポリシールールを提供し、統合データリポジトリ（ＵＤＲ：Unified Data Repository）におけるポリシー決定に関連するサブスクリプション情報にアクセスする。ＡＦ１９０は、限定はしないが、トラフィックルーティングに対するアプリケーションの影響、ネットワーク露出機能へのアクセス、およびポリシー制御のためのポリシーフレームワークとの相互作用を含む、いくつかの機能を提供する。
【００３９】
[0049]  図２を参照すると、ワイヤレスバックホールネットワーク２００の一例は、ドナーノード２１０と、ＵＥ１０４へのアクセスを提供するいくつかの中継ノード２２０とを含む。無線バックホール（Wireless backhaul）２１４は、ワイヤラインバックホール（wireline backhaul）２１２またはフロントホールに範囲拡張を提供することができる。ワイヤレスバックホールネットワークは、例えば、ドナーノード２１０と中継ノード２２０との間に複数の経路を設けることによって、複数のバックホールホップならびに冗長接続性をサポートし得る。このコンテキストでは、ドナーノード２１０は、ワイヤレスネットワークとワイヤラインネットワーク（例えば、５Ｇコアネットワーク１８０（図１Ａ））との間のインタフェースを提供する。ワイヤレスバックホールの一例は、３ＧＰＰ  Ｒｅｌ−１５で言及されている統合アクセスおよびバックホール（ＩＡＢ）である。
【００４０】
[0050]  セルラＲＡＴは、ベアラ概念を通してＱｏＳ区別を提供する。アクセスリンク２２２は、データ無線ベアラ（ＤＲＢ：data radio bearer）またはシグナリング無線ベアラ（ＳＲＢ：signaling radio bearer）など、複数のベアラをサポートすることができる。各ベアラは、異なるＱｏＳクラスを割り当てられ、したがって、エアインタフェース上のデータスケジューリングにおいてＱｏＳクラス固有の優先度を提供し得る。スケジューリング決定は、ＱｏＳクラス優先順位付け（QoS-class prioritization）、ならびにＱｏＳクラス固有のビットレート（QoS-class-specific bit-rate）およびレイテンシ保証（latency guarantee）またはビットレート制限（bit-rate limit）などの他の述語を含み得る。ＵＥ１０４は、各ベアラが異なるＱｏＳクラスを割り当てられる複数のベアラの確立を通して、異なるＱｏＳクラスに関係する複数のサービスを同時にサポートし得る。
【００４１】
[0051]  図３を参照すると、ワイヤレスバックホールネットワーク３００の一例は、ｇＮＢ−ＤＵ３２０（それは中継ノード２２０に存在し得る）とｇＮＢ−ＣＵ３１０（それはドナーノード２１０または別のネットワークロケーションに存在し得る）との間のワイヤラインフロントホール（wireline fronthaul）を拡張し得る。ワイヤレスバックホールネットワーク３００は、中継ノード３２２、３２４、３２６およびドナーノード２１０を含み得る。この例では、ＵＥ３３０、３３２、３３２（それはＵＥ１０４の例であり得る）は、中継ノード３２４上のｇＮＢ−ＤＵ３２０を介してネットワークと通信可能に結合される。ＵＥ３３０、３３２、３３４は、ｇＮＢ−ＣＵ３１０との無線ベアラを維持し、各無線ベアラは、ＵＥ３３０、３３２、または３３４とｇＮＢ−ＤＵ３２０との間のＲＬＣチャネルを含む。各無線ベアラはまた、ｇＮＢ−ＤＵ３２０とｇＮＢ−ＣＵ３１０との間の対応するＦ１関連付け（F1-association）３５０、３５２、３５４、３５６を含み得る。さらに、２つのＱｏＳクラスが、図３のＵＥによって使用される。ＵＥ３３０は、ＲＬＣチャネル３４０および３４２を介してＱｏＳクラス１とＱｏＳクラス２の両方を同時に使用し、したがって、確立された２つの無線ベアラを有する。ＵＥ３３２はまた、ＲＬＣチャネル３４４を介してＱｏＳクラス１を使用し得、ＵＥ３３４は、ＲＬＣチャネル３４６を介してＱｏＳクラス２を使用し得る。したがって、ＵＥ３３０のためのトラフィックは、ＵＥ３３２またはＵＥ３３４の一方または両方とｇＮＢ−ＣＵ３１０への無線バックホールベアラを共有し得る。
【００４２】
[0052]  ｇＮＢ−ＤＵ３２０中のスケジューラは、ＵＥ３３０、３３２、３３５へのＲＬＣチャネル３４０、３４２、３４４、３４６を介して、これらの２つのＱｏＳクラスに関連付けられた優先度を実施することができるが、Ｆ１関連付け３５０、３５２、３５４、３５６は、ＱｏＳ実施（QoS enforcement）がワイヤレスバックホール上でどのように達成されるかを指定しないことがある。
【００４３】
[0053]  図４を参照すると、ネットワーク図は、図３に示されたワイヤレスバックホールネットワーク３００と同様であり得るワイヤレスバックホールネットワーク４００上でＱｏＳがどのように実施（enforce）されるかを示す。
【００４４】
[0054]  ドナーノード２１０と中継ノード３２２、３２６との間、または２つの中継ノード３２２、３２４、３２６の間の各バックホールリンク上で、コントローラ４１０は、対応するＱｏＳクラスＩＤとともにサポートされる各サービスクラスのための別個のＲＬＣチャネル（または無線ベアラ）３６０、３６２、３６４、３６６、３６８、３７０、３７２、３７４を構成する。例えば、ＲＬＣ−チャネル３６０はＱｏＳクラス１をサポートすることができ、ＲＬＣ−チャネル３６２は、中継ノード３２４と中継ノード３２２との間でＱｏＳクラス２をサポートすることができる。別の例として、ＲＬＣ−チャネル３６４は、ＱｏＳクラス１をサポートすることができ、ＲＬＣ−チャネル３６６は、中継ノード３２２とドナーノード２１０との間でＱｏＳクラス２をサポートすることができる。別の例として、ＲＬＣ−チャネル３６８は、ＱｏＳクラス１をサポートすることができ、ＲＬＣ−チャネル３７０は、中継ノード３２４と中継ノード３２６との間でＱｏＳクラス２をサポートすることができる。別の例として、ＲＬＣ−チャネル３７２は、ＱｏＳクラス１をサポートすることができ、ＲＬＣ−チャネル３７４は、中継ノード３２６とドナーノード２１０との間でＱｏＳクラス２をサポートすることができる。ＵＥ１０４が中継ノード３２４上のｇＮＢ−ＤＵ３２０にアクセスするとき、コントローラ４１０は、中継ノード３２４およびドナーノード２１０上で、ＵＥのアクセスＲＬＣ−チャネルの各々とバックホールリンク上でサポートされる対応するＱｏＳクラスとの間のマッピングを構成する。
【００４５】
[0055]  バックホールネットワーク（backhaul network）にわたる中継ノード３２４とドナーノード２１０との間のユーザデータパケットの転送は、Ｌ２ヘッダスタックに挿入されたアダプテーションレイヤヘッダにおいて搬送され得るＱｏＳクラスＩＤに基づき得る。アダプテーションレイヤヘッダは、ベアラ識別子をさらに搬送し得、それは中央ユニット制御（ＣＵ−Ｃ：central unit - control）プレーン等のコントローラ４１０によって構成され得る。アダプテーションレイヤヘッダは、ルーティングＩＤ、および潜在的にコントローラ４１０によって構成された他の情報をさらに搬送し得る。ルーティングＩＤは、これまたコントローラ４１０によって構成される転送テーブルに基づいて転送方向を決定するために、中間中継ノード３２２、３２４によって使用され得る。中継ノード３２４およびドナーノード２１０は、例えば、そのようなルーティングＩＤおよびルーティングテーブル（routing table）を使用して、第１の中継ノード３２２または第２の中継ノード３２６を介してデータ交換が行われるかどうかを決定し得る。
【００４６】
[0056]  アダプテーションレイヤヘッダは、ＲＬＣヘッダの上または下に存在し得るか、またはＲＬＣヘッダとマージされ得る。アダプテーションレイヤヘッダはまた、ＰＤＣＰヘッダまたはＳＤＡＰヘッダの上に存在し得るか、またはこれらのヘッダのうちの１つとマージされ得る。アダプテーションレイヤヘッダはまた、２つのレイヤに分割され得、例えば、一方は、ベアラＩＤ等のエンドツーエンド情報を搬送し、他方のレイヤは、ＱｏＳクラスＩＤおよびルーティングＩＤを搬送し、その両方は、ホップごとに評価される。さらに、Ｌ２ヘッダ上で既に搬送される情報は、ＱｏＳクラスＩＤまたはルーティングＩＤを搬送するために使用または拡張され得る。例えば、論理チャネルＩＤ（ＬＣＩＤ）の範囲は、ホップバイホップ方式（hop-by-hop manner）でＲＬＣチャネルまたは無線ベアラを相互接続するために拡張および使用され得る。
【００４７】
[0057]  一態様では、本開示は、中央ユニット（ＣＵ：central unit）分散ユニット（ＤＵ）分割アーキテクチャに適用可能であり、各中継器は、アクセスのためにｇＮＢ−ＤＵを保持し、各バックホールリンク上でＲＬＣチャネルまたは無線ベアラをサポートする。本開示は、各中継器がＵＥアクセスのために中継器上で完全なｇＮＢ機能を保持するシナリオにも適用可能である。
【００４８】
[0058]  図５Ａ〜図５Ｄを参照すると、ワイヤレスバックホールに対するＱｏＳ実施を可能にするプロトコルスタックの例が示されている。アダプテーションレイヤ５１２は、ＱｏＳ情報またはルーティング情報を伝達するためにプロトコルスタックに挿入される。例えば、アダプテーションレイヤ５１２は、優先度ＩＤ、ベアラＩＤ、および／またはルートＩＤ（route-ID）を含むヘッダを含み得る。図５Ａは、図４のアーキテクチャのための例示的なプロトコルスタック５１０を示し、ここで、別個のＲＬＣチャネルが、各バックホールリンク上の各ＱｏＳクラスのために確立される。アダプテーションレイヤ５１２は、この例では、ＲＬＣチャネルの上で搬送される。
【００４９】
[0059]  図５Ｂのプロトコルスタック５２０では、ＲＬＣレイヤは、例えば、セグメンテーションタスク（segmentation task）を実行し得る下位部分（ＲＬＣ＿ｌｏｗ）と、例えば、自動再送要求（ＡＲＱ：automatic repeat request）を実行し得る上位部分（ＲＬＣ＿ｈｉｇｈ）とに分割される。アダプテーションレイヤ５１２は、ＱｏＳクラスＩＤおよびルートＩＤを保持し得るホップごとのアダプテーションレイヤ（hop-by-hop adaptation layer）（アダプト１）５２２と、ベアラＩＤを保持し得るエンドツーエンドアダプテーションレイヤ（end-to-end adaptation layer）（アダプト２）５２４とに分割される。
【００５０】
[0060]  図５Ｃのプロトコルスタック５３０では、各バックホールリンク上で各ＱｏＳクラスについて別個の無線ベアラが確立される。アダプテーションレイヤ５１２は、この例では、ＳＤＡＰ／ＰＤＣＰの上で搬送される。
【００５１】
[0061]  図５Ｄのプロトコルスタック５４０では、中継器２は、ｇＮＢ−ＤＵだけではなく完全なｇＮＢ（ＣＵおよびＤＵプロトコル）を保持し、バックホールは、ｇＮＢをＵＰＦと通信可能に結合する。ワイヤレスバックホールは、ＳＤＡＰ／ＰＤＣＰの上で搬送されるアダプテーションレイヤ５１２を用いて、図５Ｃと同じ方法でＱｏＳを実施する。加えて、ドナーノードは、有線ネットワークを介して相互接続される分散エンティティと集中エンティティとに分割され得るが、分散ドナーエンティティのみがワイヤレスバックホールリンクをサポートする。そのような構成では、アダプテーションレイヤ５１２は、集中型エンティティにおいて終端され、有線エンティティを介して、例えば、ＵＤＰ／ＩＰまたはＧＴＰ−Ｕ／ＵＤＰ／ＩＰの上で搬送され得る。
【００５２】
[0062]  図６を参照すると、例えば、ワイヤレスバックホールを介してＱｏＳを提供するために上記で説明された態様に従って中継ノード２２０を動作させる際のワイヤレス通信の方法６００は、本明細書で定義されたアクションのうちの１つまたは複数を含む。例えば、中継ノード２２０は、ｇＮＢ−ＤＵ３２０を含み得るか、または中間中継ノードであり得る。
【００５３】
[0063]  例えば、６１０において、方法６００は、第１の優先度および第１の優先度ＩＤを有する第１の無線チャネルのための構成を受信することと、第２の優先度および第２の優先度ＩＤを有する第２の無線チャネルのための構成を受信することとを含む。例えば、一態様では、中継ノード２２０は、本明細書で説明するように、第１の優先度および第１の優先度ＩＤを有する第１の無線チャネル１５１のための構成を受信し、第２の優先度および第２の優先度ＩＤを有する第２の無線チャネル１５２のための構成を受信するために、中継ＱｏＳコンポーネント１５０を実行し得る。構成は、コントローラ４１０から受信され得る。第１の無線チャネルおよび第２の無線チャネルは各々、第１のピア（first peer）（たとえば、ドナーノード２１０）へのバックホール無線チャネルであり得る。
【００５４】
[0064]  ６２０において、方法６００は、第１のベアラＩＤと第１の優先度への第１のマッピングとを有する第３の無線チャネルのための構成を受信することと、第２のベアラＩＤと第２の優先度への第２のマッピングとを有する第４の無線チャネルのための構成を受信することとを含む。例えば、一態様では、中継ノード２２０は、第１のベアラＩＤおよび第１の優先度への第１のマッピング１５５を有する第３の無線チャネル１５３のための構成をコントローラ４１０から受信し、第２のベアラＩＤおよび第２の優先度への第２のマッピング１５６を有する第４の無線チャネル１５４のための構成を受信するために、中継ＱｏＳコンポーネント１５０を実行し得る。中継ノード２２０が、ＵＥ１０４へのアクセスを提供するｇＮＢ−ＤＵ３２０を含むとき、第３の無線チャネル１５３および第４の無線チャネル１５４は各々、ＵＥ１０４へのアクセス無線チャネル（access radio channel）であり得る。中継ノード２２０が中間中継ノードであるとき、第３の無線チャネル１５３および第４の無線チャネル１５４は各々、第２のピア（second peer）（たとえば、アクセス中継ノード）へのバックホール無線チャネルであり得る。
【００５５】
[0065]  ６３０において、方法６００は、第１の無線チャネルから第３の無線チャネルに転送されたパケットから、および第２の無線チャネルから第４の無線チャネルに転送されたパケットから、受信されたヘッダを除去（remove）することを随意に含み得る。例えば、一態様では、中継ノード２２０は、第１の無線チャネルから第３の無線チャネルに転送されたパケットから、および第２の無線チャネルから第４の無線チャネルに転送されたパケットから、受信されたヘッダを除去するために、中継ＱｏＳコンポーネント１５０を実行し得る。受信されたヘッダは、例えば、前のホップのための優先度ＩＤおよび／またはベアラＩＤを含み得る。受信されたヘッダを除去することによって、パケットは、構成されたマッピングに従ってルーティングされ得る。さらに、受信されたヘッダは、アクセス無線チャネルに適用可能でないアダプテーションレイヤヘッダであり得る。
【００５６】
[0066]  ６４０において、方法６００は、第３のアクセス無線チャネルから第１のバックホール無線チャネルに転送されたパケットに、および第４の無線チャネルから第２の無線チャネルに転送されたパケットに、新しいヘッダを挿入することを随意に含み得る。例えば、一態様では、中継ノード２２０は、第３のアクセス無線チャネルから第１のバックホール無線チャネルに転送されるパケットに、および第４の無線チャネルから第２の無線チャネルに転送されるパケットに、新しいヘッダを挿入するために、中継ＱｏＳコンポーネント１５０を実行し得る。例えば、新しいヘッダは、アダプテーションレイヤヘッダであり得る。新しいヘッダは、優先度ＩＤおよびベアラＩＤのためのフィールドを含み得る。
【００５７】
[0067]  ６５０において、方法６００は、第１のマッピングに基づいて第３のアクセス無線チャネルから第１のバックホール無線チャネルにパケットを転送することと、第３のアクセス無線チャネルからのパケット内のヘッダに第１の優先度ＩＤを挿入することとを含む。例えば、一態様では、中継ノード２２０は、第１のマッピング１５５と、アクセス無線チャネルであり得る第３の無線チャネル１５３からのパケット内のヘッダに第１の優先度ＩＤを挿入することとに基づいて、第３の無線チャネル１５３から第１の無線チャネル１５１にパケットを転送するために中継ＱｏＳコンポーネント１５０を実行し得る。
【００５８】
[0068]  ６６０において、方法６００は、第２のマッピングに基づいて第４の無線チャネルから第２の無線チャネルにパケットを転送することと、第４の無線チャネルからのパケット内のヘッダに第２の優先度ＩＤを挿入することとを含む。例えば、一態様では、中継ノード２２０は、第２のマッピング１５６に基づいて第４の無線チャネル１５４から第２の無線チャネル１５２にパケットを転送し、第４の無線チャネルからのパケット内のヘッダに第２の優先度ＩＤを挿入するために中継ＱｏＳコンポーネント１５０を実行し得る。
【００５９】
[0069]  図７を参照すると、例えば、ワイヤレスバックホールを介してＱｏＳを提供するために上記で説明された態様に従ってドナーノード２１０を動作させる際のワイヤレス通信の方法７００は、本明細書で定義されたアクションのうちの１つまたは複数を含む。例えば、ドナーノード２１０は、トンネルを含むｇＮＢ−ＣＵ３１０へのワイヤード接続を含み得る。
【００６０】
[0070]  例えば、７１０において、方法７００は、第１の優先度および第１の優先度ＩＤを有する第１のバックホール無線チャネルのための構成を受信することと、第２の優先度および第２の優先度ＩＤを有する第２のバックホール無線チャネルのための構成を受信することとを含む。例えば、一態様では、ドナーノード２１０は、本明細書で説明するように、第１の優先度および第１の優先度ＩＤを有するバックホール無線チャネルであり得る第１の無線チャネル１７１のための構成を受信し、第２の優先度および第２の優先度ＩＤを有する、これまたバックホール無線チャネルであり得る第２の無線チャネル１７２のための構成を受信するために、ドナーＱｏＳコンポーネント１７０を実行し得る。構成は、コントローラ４１０から受信され得る。第１の無線チャネル１７１および第２の無線チャネル１７２は各々、第１のピア（たとえば、中継ノード２２０）へのバックホール無線チャネルであり得る。
【００６１】
[0071]  ７２０において、方法７００は、第１のベアラＩＤと第１の優先度への第１のマッピングとを有する第１のトンネルのための構成を受信することと、第２のベアラＩＤと第２の優先度への第２のマッピングとを有する第２のトンネルのための構成を受信することとを含む。例えば、一態様では、ドナーノード２１０は、第１のベアラＩＤおよび第１の優先度への第１のマッピング１７５を有する第１のトンネル１７３のための構成を受信し、第２のベアラＩＤおよび第２の優先度への第２のマッピング１７６を有する第２のトンネル１７４のための構成を受信するために、ドナーＱｏＳコンポーネント１７０を実行し得る。
【００６２】
[0072]  ７３０において、方法７００は、第１の無線チャネルから第１のトンネルに、および第２の無線チャネルから第２のトンネルに転送されたパケットから、受信されたヘッダを除去することを随意に含み得る。例えば、一態様では、ドナーノード２１０は、第１の無線チャネルから第１のトンネルに、および第２の無線チャネルから第２のトンネルに転送されたパケットから、受信されたヘッダを除去するために、ドナーＱｏＳコンポーネント１７０を実行し得る。受信されたヘッダは、例えば、前のホップのための優先度ＩＤおよび／またはベアラＩＤを含み得る。受信されたヘッダを除去することによって、パケットは、構成されたマッピングに従ってルーティングされ得る。
【００６３】
[0073]  ７４０において、方法７００は、第１のトンネルから第１の無線チャネルに、および第２のトンネルから第２の無線チャネルに転送されるパケットに、新しいヘッダを挿入することを随意に含み得る。例えば、一態様では、ドナーノード２１０は、第１のトンネルから第１の無線チャネルに、および第２のトンネルから第２の無線チャネルに転送されるパケットに、新しいヘッダを挿入するために、ドナーＱｏＳコンポーネント１７０を実行し得る。例えば、新しいヘッダは、アダプテーションレイヤヘッダであり得る。新しいヘッダは、優先度ＩＤおよびベアラＩＤのためのフィールドを含み得る。
【００６４】
[0074]  ７５０において、方法７００は、第１のマッピングに基づいて第１のトンネルから第１のバックホール無線チャネルにパケットを転送することと、第１のトンネルからのパケット内のヘッダに第１の優先度ＩＤを挿入することとを含む。例えば、一態様では、ドナーノード２１０は、第１のマッピング１７５に基づいて、第１のトンネル１７３から、バックホール無線チャネルであり得る第１の無線チャネル１７１にパケットを転送し、第１のトンネル１７３からのパケット内のヘッダに第１の優先度ＩＤを挿入するために、ドナーＱｏＳコンポーネント１７０を実行し得る。
【００６５】
[0075]  ７６０において、方法７００は、第２のマッピングに基づいて第２のトンネルから第２のバックホール無線チャネルにパケットを転送することと、第２のトンネルからのパケット内のヘッダに第２の優先度ＩＤを挿入することとを含む。例えば、一態様では、ドナーノード２１０は、第２のマッピング１７６に基づいて、第２のトンネル１７４からバックホール無線チャネルであり得る第２の無線チャネル１７２にパケットを転送し、第２のトンネルからのパケット内のヘッダに第２の優先度ＩＤを挿入するために、ドナーＱｏＳコンポーネント１７０を実行し得る。
【００６６】
[0076]  図８を参照すると、基地局１０２における中継ノード２２０のインプリメンテーションの１つの例は、様々なコンポーネントを含み得、それらのうちのいくつかは既に上で説明されているが、ワイヤレスバックホールを介してＱｏＳを提供することに関係する本明細書で説明される機能のうちの１つまたは複数を可能にするためにモデム１４０および中継ＱｏＳコンポーネント１５０とともに動作し得る、１つまたは複数のバス８４４を介して通信する１つまたは複数のプロセッサ８１２およびメモリ８１６およびトランシーバ８０２などのコンポーネントを含む。さらに、１つまたは複数のプロセッサ８１２、モデム８１４、メモリ８１６、トランシーバ８０２、ＲＦフロントエンド８８８、および１つまたは複数のアンテナ８８６は、１つまたは複数の無線アクセス技術において（同時にまたは非同時に）音声呼および／またはデータ呼をサポートするように構成され得る。
【００６７】
[0077]  一態様では、１つまたは複数のプロセッサ８１２は、１つまたは複数のモデムプロセッサを使用するモデム８１４を含むことができる。中継ＱｏＳコンポーネント１５０に関係する様々な機能は、モデム１４０および／またはプロセッサ８１２中に含まれ得、一態様では、単一のプロセッサによって実行されることができるが、他の態様では、それら機能のうちの異なる機能は、２以上の異なるプロセッサの組合せによって実行され得る。例えば、一態様では、１つまたは複数のプロセッサ８１２は、モデムプロセッサ、またはベースバンドプロセッサ、またはデジタルシグナルプロセッサ、または送信プロセッサ、または受信機プロセッサ、またはトランシーバ８０２に関連するトランシーバプロセッサのうちの任意の１つまたは任意の組合せを含み得る。他の態様では、中継ＱｏＳコンポーネント１５０に関連する１つまたは複数のプロセッサ８１２および／またはモデム１４０の特徴のうちのいくつかは、トランシーバ８０２によって実行され得る。
【００６８】
[0078]  また、メモリ８１６は、本明細書で使用されるデータおよび／またはアプリケーション８７５のローカルバージョンまたは少なくとも１つのプロセッサ８１２によって実行されている中継ＱｏＳコンポーネント１５０および／またはそのサブコンポーネントのうちの１つまたは複数を記憶するように構成され得る。メモリ８１６は、ランダムアクセスメモリ（ＲＡＭ）、読み取り専用メモリ（ＲＯＭ）、テープ、磁気ディスク、光ディスク、揮発性メモリ、不揮発性メモリ、およびそれらの任意の組合せなど、コンピュータまたは少なくとも１つのプロセッサ８１２によって使用可能な任意のタイプのコンピュータ可読媒体を含むことができる。一態様では、例えば、メモリ８１６は、基地局１０２が中継ＱｏＳコンポーネント１５０および／またはそのサブコンポーネントのうちの１つまたは複数を実行するために少なくとも１つのプロセッサ８１２を動作させているとき、中継ＱｏＳコンポーネント１５０および／またはそのサブコンポーネントのうちの１つまたは複数、および／またはそれに関連するデータを定義する１つまたは複数のコンピュータ実行可能コードを記憶する非一時的コンピュータ可読記憶媒体であり得る。
【００６９】
[0079]  トランシーバ８０２は、少なくとも１つの受信機８０６と少なくとも１つの送信機８０８とを含み得る。受信機８０６は、データを受信するためにプロセッサによって実行可能なハードウェア、ファームウェア、および／またはソフトウェアコードを含み得、コードは命令を備え、メモリ（たとえば、コンピュータ可読媒体）に記憶される。受信機８０６は、例えば、無線周波数（ＲＦ）受信機であり得る。一態様では、受信機８０６は、少なくとも１つの他の基地局１０２によって送信された信号を受信し得る。加えて、受信機８０６は、そのような受信された信号を処理し得、また、限定はしないが、Ｅｃ／Ｉｏ、ＳＮＲ、ＲＳＲＰ、ＲＳＳＩなどのような、信号の測定値を取得し得る。送信機８０８は、データを送信するためにプロセッサによって実行可能なハードウェア、ファームウェア、および／またはソフトウェアコードを含み得、コードは命令を備え、メモリ（たとえば、コンピュータ可読媒体）に記憶される。送信機８０８の適切な例は、ＲＦ送信機を含み得るが、これに限定されない。
【００７０】
[0080]  さらに、一態様では、中継ノード２２０は、無線送信、例えば、少なくとも１つのＵＥ１０４によって送信されるワイヤレス通信または別の基地局１０２によって送信されるワイヤレス送信を受信および送信するための１つまたは複数のアンテナ８６５およびトランシーバ８０２と通信して動作し得るＲＦフロントエンド８８８を含み得る。ＲＦフロントエンド８８８は、１つまたは複数のアンテナ８６５に接続され得、ＲＦ信号を送信および受信するための１つまたは複数の低雑音増幅器（ＬＮＡ）８９０と、１つまたは複数のスイッチ８９２と、１つまたは複数の電力増幅器（ＰＡ）８９８と、１つまたは複数のフィルタ８９６とを含み得る。
【００７１】
[0081]  一態様では、ＬＮＡ８９０は、受信信号を所望の出力レベルで増幅することができる。一態様では、各ＬＮＡ８９０は、指定された最小および最大利得値を有し得る。一態様では、ＲＦフロントエンド８８８は、特定の用途のための所望の利得値に基づいて、特定のＬＮＡ８９０およびその指定された利得値を選択するために、１つまたは複数のスイッチ８９２を使用し得る。
【００７２】
[0082]  さらに、例えば、１つまたは複数のＰＡ８９８は、所望の出力電力レベルにおけるＲＦ出力のための信号を増幅するために、ＲＦフロントエンド８８８によって使用され得る。一態様では、各ＰＡ８９８は、指定された最小および最大利得値を有し得る。一態様では、ＲＦフロントエンド８８８は、特定の用途のための所望の利得値に基づいて、特定のＰＡ８９８およびその指定された利得値を選択するために、１つまたは複数のスイッチ８９２を使用し得る。
【００７３】
[0083]  また、例えば、１つまたは複数のフィルタ８９６は、入力ＲＦ信号を取得するために受信信号をフィルタ処理するためにＲＦフロントエンド８８８によって使用されることができる。同様に、一態様では、例えば、それぞれのフィルタ８９６は、送信のための出力信号を生成するために、それぞれのＰＡ８９８からの出力をフィルタリングするために使用されることができる。一態様では、各フィルタ８９６は、特定のＬＮＡ８９０および／またはＰＡ８９８に接続されることができる。一態様では、ＲＦフロントエンド８８８は、トランシーバ８０２および／またはプロセッサ８１２によって指定された構成に基づいて、指定されたフィルタ８９６、ＬＮＡ８９０、および／またはＰＡ８９８を使用して送信または受信経路を選択するために１つまたは複数のスイッチ８９２を使用することができる。
【００７４】
[0084]  したがって、トランシーバ８０２は、ＲＦフロントエンド８８８を介して１つまたは複数のアンテナ８６５を通してワイヤレス信号を送信および受信するように構成され得る。一態様では、トランシーバは、中継ノード２２０が、例えば、１つまたは複数のＵＥ１０４または１つまたは複数の基地局１０２に関連する１つまたは複数のセルと通信することができるように、指定された周波数において動作するように同調され得る。一態様では、例えば、モデム１４０は、中継ノード２２０の基地局構成およびモデム１４０によって使用される通信プロトコルに基づいて、指定された周波数および電力レベルで動作するようにトランシーバ８０２を構成することができる。
【００７５】
[0085]  一態様では、モデム１４０は、デジタルデータがトランシーバ８０２を使用して送信および受信されるように、デジタルデータを処理し、トランシーバ８０２と通信することができるマルチバンドマルチモードモデムであり得る。一態様では、モデム１４０は、マルチバンドであり、特定の通信プロトコルのための複数の周波数帯域をサポートするように構成され得る。一態様では、モデム１４０は、マルチモードであり、複数の動作ネットワークおよび通信プロトコルをサポートするように構成され得る。一態様では、モデム１４０は、指定されたモデム構成に基づいてネットワークからの信号の送信および／または受信を可能にするために、基地局１０２の１つまたは複数のコンポーネント（例えば、ＲＦフロントエンド８８８、トランシーバ８０２）を制御することができる。一態様では、モデム構成は、モデムのモードおよび使用中の周波数帯域に基づき得る。
【００７６】
[0086]  図９を参照すると、ドナーノード２１０としての基地局１０２のインプリメンテーションの１つの例は、様々なコンポーネントを含み得、それらのうちのいくつかは既に上記で説明されているが、ワイヤレスバックホールを介してＱｏＳを提供することに関係する本明細書で説明される機能のうちの１つまたは複数を可能にするためにモデム１６０およびドナーＱｏＳコンポーネント１７０とともに動作し得る、１つまたは複数のバス９４４を介して通信する１つまたは複数のプロセッサ９１２およびメモリ９１６およびトランシーバ９０２などのコンポーネントを含む。別の例では、ドナーノード２１０は、ドナーノード２１０において終端するワイヤレスバックホールのためのＱｏＳを提供することに関係する本明細書で説明する機能のうちの１つまたは複数を可能にするために、モデム１６０およびドナーＱｏＳコンポーネント１７０とともに動作し得るワイヤード通信インタフェース９５０を含み得る。
【００７７】
[0087]  トランシーバ９０２、受信機９０６、送信機９０８、１つまたは複数のプロセッサ９１２、メモリ９１６、アプリケーション９７５、バス９４４、ＲＦフロントエンド９８８、ＬＮＡ９９０、スイッチ９９２、フィルタ９９６、ＰＡ９９８、および１つまたは複数のアンテナ９６５は、上記で説明したように、中継ノード２２０の対応するコンポーネントと同じまたは同様であり得るが、中継ノード動作とは対照的にドナーノード動作のために構成またはそうでなければプログラムされ得る。
【００７８】
[0088]  添付の図面に関連して上述された上の詳細な説明は、例を説明するものであり、特許請求の範囲の適用範囲にあるのは、またはインプリメントされ得るのは、それらの例のみであるということを表すわけではない。この説明で使用されるとき、「例」という用語は、「例、事例、または例示としての役割を果たす」ことを意味し、「より好ましい」または「他の例よりも有利である」ことを意味しない。詳細な説明は、説明された技法の理解を提供することを目的として特定の詳細を含む。しかしながら、これらの技法は、これらの特定の詳細なしに実施され得る。いくつかの事例では、周知の構造および装置は、説明された例の概念を不明瞭にすることを避けるために、ブロック図の形式で示される。
【００７９】
[0089]  情報および信号は、多様な異なる技術および技法のうちのいずれを使用しても表され得る。例えば、上の説明を通して言及された可能性のあるデータ、命令、コマンド、情報、信号、ビット、シンボルおよびチップは、電圧、電流、電磁波、磁場または磁性粒子、光場または光粒子、コンピュータ読み取り可能な媒体上に記憶されたコンピュータ実行可能なコードまたは命令、あるいはそれらのいかなる組合せによっても表され得る。
【００８０】
[0090]  ここで本開示に関連して説明された様々な例示的なブロックおよびコンポーネントは、限定するわけではないが、例えば、ここに説明された機能を実施するように設計された、プロセッサ、デジタルシグナルプロセッサ（ＤＳＰ）、ＡＳＩＣ、ＦＰＧＡまたは他のプログラマブル論理デバイス、ディスクリートゲートまたはトランジスタ論理、ディスクリートハードウェアコンポーネント、またはそれらの任意の組合せ等の特別にプログラムされたデバイスを用いてインプリメントまたは実施され得る。特別にプログラムされたプロセッサは、マイクロプロセッサであり得るが、別の方法では、プロセッサは、いかなる従来のプロセッサ、コントローラ、マイクロコントローラ、またはステートマシンでもあり得る。特別にプログラムされたプロセッサはまた、コンピューティングデバイスの組合せ、例えば、ＤＳＰとマイクロプロセッサとの組合せ、複数のマイクロプロセッサ、ＤＳＰコアと連携した１つまたは複数のマイクロプロセッサ、または任意の他のそのような構成としてもインプリメントされ得る。
【００８１】
[0091]  ここで説明された機能は、ハードウェア、プロセッサによって実行されるソフトウェア、ファームウェア、またはそれらの任意の組合せでインプリメントされ得る。プロセッサによって実行されるソフトウェアでインプリメントされる場合、それら機能は、非一時的なコンピュータ読み取り可能な媒体上の１つまたは複数の命令またはコードとして記憶または送信され得る。他の例およびインプリメンテーションが、添付の特許請求の範囲および本開示の適用範囲および精神内にある。例えば、ソフトウェアの性質に起因して、上述した機能は、特別にプログラムされたプロセッサ、ハードウェア、ファームウェア、ハードワイヤリング、またはこれらのうちの任意のものの組合せによって実行されるソフトウェアを使用してインプリメントされることができる。機能をインプリメントする特徴はまた、機能の一部が異なる物理的ロケーションにおいてインプリメントされるように分配された状態を含む、様々な位置に物理的に配置され得る。また、請求項を含め、ここで使用される場合、「のうちの少なくとも１つ」で終わる項目のリストで使用される「または（or）」は、例えば、「Ａ、ＢまたはＣのうちの少なくとも１つ」というリストが、ＡまたはＢまたはＣまたはＡＢまたはＡＣまたはＢＣまたはＡＢＣ（すなわち、ＡおよびＢおよびＣ）を意味するような、選言的なリスト（a disjunctive list）を示す。
【００８２】
[0092]  コンピュータ読み取り可能な媒体は、１つの場所から別の場所へのコンピュータプログラムの転送を容易にする任意の媒体を含む通信媒体およびコンピュータ記憶媒体の両方を含む。記憶媒体は、汎用または専用コンピュータによってアクセスされることができる任意の利用可能な媒体であり得る。限定ではなく例として、コンピュータ読み取り可能な媒体は、ＲＡＭ、ＲＯＭ、ＥＥＰＲＯＭ（登録商標）、ＣＤ−ＲＯＭ、または他の光ディスク記憶装置、磁気ディスク記憶装置または他の磁気記憶デバイス、あるいは、命令またはデータ構造の形態で所望のプログラムコード手段を搬送または記憶するために使用されることができ、且つ汎用または専用コンピュータ、あるいは汎用または専用プロセッサによってアクセスされることができるいかなる他の媒体も備えることができる。また、いかなる接続も、コンピュータ読み取り可能な媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（disc）（ＣＤ）、レーザーディスク（登録商標）（disc）、光ディスク（disc）、デジタル多目的ディスク（disc）（ＤＶＤ）、フロッピー（登録商標）ディスク（disk）およびＢｌｕ−ｒａｙ（登録商標）ディスク（disc）を含み、ここで、ディスク（disks）は、通常磁気的にデータを再生し、一方ディスク（discs）は、レーザーを用いて光学的にデータを再生する。上記の組合せもまた、コンピュータ読み取り可能な媒体の範囲内に含まれる。
【００８３】
[0093]  本開示の先の説明は、当業者が本開示を製造するまたは使用することを可能にするために提供されている。本開示への様々な修正は、当業者にとって容易に明らかとなり、ここに定義された共通の原理は、本開示の範囲または精神から逸脱することなく、他のバリエーションに適用され得る。さらに、説明された態様および／または実施形態の要素は、単数形で説明され得るまたは特許請求され得るが、単数形への限定が明記されていない限り、複数形が考慮されている。さらに、任意の態様および／または実施形態の一部または全体は、そうでないと記載されていない限り、任意の他の態様および／または実施形態の一部または全体とともに利用され得る。したがって、本開示は、ここに説明された例および設計に限定されるべきではなく、ここに開示された原理および新規な特徴と一致する最も広い範囲を与えられるべきである。
【図１Ａ】
2021518697.tif 000003
【図１Ｂ】
2021518697.tif 000004
【図２】
2021518697.tif 000005
【図３】
2021518697.tif 000006
【図４】
2021518697.tif 000007
【図５Ａ】
2021518697.tif 000008
【図５Ｂ】
2021518697.tif 000009
【図５Ｃ】
2021518697.tif 000010
【図５Ｄ】
2021518697.tif 000011
【図６】
2021518697.tif 000012
【図７】
2021518697.tif 000013
【図８】
2021518697.tif 000014
【図９】
2021518697.tif 000015
【国際調査報告】
2021518697.tif 000016
2021518697.tif 000017
2021518697.tif 000018